(57)【要約】【課題】迷子になった対象者の保護者に的確に連絡することが可能な迷子対応システムを提供する。【解決手段】ＲＦＩＤを内蔵した迷子札に、家族の誰かが所有する携帯電話機の電話番号を記憶させ、その迷子札を子供等の対象者に装着させる。そして、迷子になった子供が当該迷子札を所有していれば、ＲＦタグリーダより迷子札に対して読取り用の質問電波を送信して記憶されている電話番号を読み出し、その電話番号に電話をして、家族に、迷子になった子供を迷子預かり所にて預かっている旨を連絡する。このように、迷子になった際の連絡先情報を迷子札に符号化して記憶させておくことにより、連絡先情報が不用意に漏洩するのを防止しつつ、迷子になつた際には、記憶されている連絡先情報を読み出して連絡することにより、迅速かつ的確に迷子になった子供の家族と連絡することができる。【選択図】  図３
2004171368.tif 000002
【特許請求の範囲】
【請求項１】
連絡先情報を符号化情報に変換し、当該符号化情報を情報記録媒体に記録して対象者に装着させ、前記対象者が迷子になった際、当該対象者に装着された前記情報記録媒体より前記連絡先情報を読み出して連絡することを特徴とする迷子対応システム。
【発明の詳細な説明】
【０００１】
【発明の属する技術分野】
本発明は迷子になった対象者（子供や高齢者といった保護を必要とする人）に対して的確に保護者もしくは身元引受人に連絡することが可能な迷子対応システムに関するものである。
【０００２】
【従来の技術】
従来、迷子を防止するシステムとして、迷子になってしまいそうな子供に発信装置を所持させ、親が所持する携帯電話機が発信装置からの電波を感知し、親から離れたり、発信装置を落としたりして携帯電話機が発信装置からの電波を感知できなくなった場合には、携帯電話機が音を発することにより、子供が親から離れたり、発信装置を落としたことを報知するものがある。
【０００３】
【特許文献】
特開２０００−２８７２６５号公報
【０００４】
【発明が解決しようとする課題】
しかし、上記システムでは、子供が迷子になったことを親に知らせることはできるものの、テーマパークのような混雑する場所では、迷子になった子供をすぐに見つけることができず、結局、テーマパークの係員などが迷子預かり所に迷子を連れていき、館内放送で迷子になった子供の服装や特徴などを放送して親に知らせるということになる。
【０００５】
こうした場合、親が館内放送を聞き取り難い場所にいれば、迷子になった子供を預かっている事を的確に連絡できないという問題がある。
【０００６】
そこで本発明は上記課題に鑑みてなされたものであり、迷子になった対象者の保護者に的確に連絡することが可能な迷子対応システムを提供することを目的とするものである。
【０００７】
【課題を解決するための手段】
そのため本発明においては、連絡先情報を符号化情報に変換し、当該符号化情報を情報記録媒体に記録して対象者に装着させ、前記対象者が迷子になった際、当該対象者に装着された前記情報記録媒体より前記連絡先情報を読み出して連絡するようにしている。
【０００８】
これにより、迷子になった対象者が情報記録媒体を所有していれば、その情報記録媒体より連絡先情報を読み出して連絡することができるので、的確に対象者の保護者に対して連絡を取ることができるという優れた効果がある。
【０００９】
更に、この連絡先情報は符号化されて情報記録媒体そのものに記録されているので、符号化により連絡先情報が安易に漏洩するのを防止しつつ、連絡先情報を読み出す際には情報記録媒体より直接読み出すことになるため、情報を素早く入手することができるという優れた効果がある。
【００１０】
【発明の実施形態】
本発明の一実施例を図面に基づいて説明する。
この実施例では、本発明をテーマパーク会場での迷子応対システムとして利用したものについて説明する。
図１は本発明の一実施例で使用される、情報記録媒体に相当する迷子札の概略図である。図１に示すように、この迷子札１は、子供の首に掛けるためのストラップ２を備え、ＲＦＩＤ機能を内蔵している。すなわち、迷子札１は、連絡先情報を記憶するメモリ３、質問電波を復調したりメモリ３に記憶された連絡先情報に基づいて質問電波を反射復調したりするための変復調部５、電波を送受信するアンテナ６、およびメモリ３への記憶処理や変復調部５の制御を司るＣＰＵ４により構成されるＲＦＩＤを内蔵している。なお、このメモリ３には、迷子札固有のＩＤ情報が記憶されており、全てのＩＤ情報はテーマパークの図示されないホストコンピュータに記憶されている。
【００１１】
このように連絡先情報をメモリに記憶させることにより、迷子札１の表面上には連絡先情報が表示されることはないので、連絡先情報が不用意に漏洩することがなくなる。
【００１２】
次に、このような迷子札を利用した迷子対応システムについて説明する。
図２は迷子札１の発行処理手順の作動を示すフローチャートである。
まず、この迷子対応システムを利用したい子供連れの家族は、テーマパーク入場時に迷子札１の購入する（ステップＳ１００）。すると、テーマパークの係員は、家族が申請した連絡先情報（具体的には、家族の誰かが所有する携帯電話機の電話番号等）を図示されないコンピュータに入力（ステップＳ１１０）する。
【００１３】
入力された連絡先情報は符号化されて書込み用の質問電波として迷子札１に送信され、迷子札１に内蔵されたアンテナ６を介して変復調部５にて受信され、ＣＰＵ４にてメモリ３に符号化情報として記憶され、迷子札１として発行される。その後、家族が子供の首にストラップ２を掛けてやって、子供に迷子札１を装着させる。
【００１４】
次に、迷子札１を装着した子供か迷子になった場合の対応方法について説明する。図３は迷子対応処理手順の作動を示すフローチャートである。
所定の迷子預かり所に迷子が連れて来られると、テーマパークの係員は、まず、迷子になった子供に迷子札１が装着されているかどうかを確認する（ステップＳ２００）。装着されていなかった場合には、館内放送にて迷子になった子供の特徴（性別、身長、服装等）を通知して、迷子を預かっている事を家族に通知する（ステップＳ２３０）。
【００１５】
一方、迷子になった子供が迷子札１を所有していれば、例えば特開２０００−３４８１３３号公報に記載される表示部付のＲＦタグリーダより迷子札１に対して読取り用の質問電波を送信する。すると、迷子札１に内蔵されたアンテナ６および変復調部５を介して読取り用の質問電波を受信したＣＰＵ４は、メモリ３に記憶された連絡先情報を読み出し、その情報に基づいて変復調部５にて質問電波を反射変調して応答電波として連絡先情報を送信する（ステップＳ２１０）。
【００１６】
応答電波を受信した上記ＲＦタグリーダは、送信されてきた応答電波より連絡先情報である携帯電話機の電話番号を表示部に表示し、係員はその電話番号に電話をして、家族に、迷子になった子供を迷子預かり所にて預かっている旨を連絡する。
【００１７】
このように子供が迷子になった場合でも、子供に装着された迷子札１より連絡先情報を読み出し、その連絡先に連絡することで、家族に、迅速かつ的確に迷子になった子供を預かっている旨を連絡することができる。
次に、迷子札１を購入した家族がテーマパーク退場する際に迷子札１を回収する手順について説明する。図４は回収処理手順の作動を示すフローチャートである。
【００１８】
この実施例における迷子札１はＲＦＩＤを内蔵しているので、回収し、メモリ３に記憶された連絡先情報を消去すれば、再度利用することができる。そこで、迷子札１を購入した家族より迷子札１を返却してもらい（ステップＳ３００）、それが正規のカードかどうかを判断する（ステップＳ３１０）。返却された迷子札が正規のものか否かは、メモリに記憶された迷子札固有のＩＤ情報を読み出し、テーマパークのホストコンピュータに問い合わせることにより確認することができる。
【００１９】
返却された迷子札１が正規のものであった場合には、所定の金額を返金し（ステップＳ３２０）、メモリに記憶された連絡先情報を消去して（ステップＳ３３０）、新たな迷子札として再利用する。なお、カードが正規のものでない場合には、カードを返却して返金処理を行わない（ステップＳ３４０）。
【００２０】
以上述べたように本実施例においては、迷子になった際の連絡先情報を迷子札１内蔵のメモリ３に記憶させておくことにより、連絡先情報が不用意に漏洩するのを防止しつつ、迷子になった際には、記憶されている連絡先情報を読み出して連絡することにより、迅速かつ的確に迷子になった子供の家族と連絡することができる。
【００２１】
しかも、連絡先情報を読み出す際には、迷子札１より直接読み出すことになるため、連絡先情報を素早く入手することができる。
なお、上記一実施例ではＲＦＩＤ内蔵の迷子札１を示したが、これに限らず、例えば図５に示すように、連絡先情報がバーコードもしくは２次元コードとして印刷された迷子札１０を用いてもよい。この場合には、迷子札は紙にて発行されるので、図４に示す回収処理をする必要はない。しかも、この場合においても、バーコードもしくは２次元コードといった符号化された情報によって連絡先情報が印刷されているので、連絡先情報が不用意に漏洩することはない。
【００２２】
それ以外には、迷子札１を磁気カードにて構成しても良く、その際には、上記迷子札１と同様、再利用が可能なため、図４に示す回収処理を実施した方が良い。
【００２３】
また、上記一実施例では、迷子預かり所に迷子を連れて来た後に図３に示す迷子対応手順を実施するようにしているが、これに限らず、例えばテーマパーク内の係員に、迷子札に記録された連絡先情報（例えば２次元コードで構成）を読み出すことができる読取り装置を装着した携帯電話機（例えば読取りプログラムをインストールしたカメラ付携帯電話機やＰＤＡ）を所有させ、迷子発見時に、即座に図３に示す迷子対応処理を実施し、読取った連絡先情報に係員が所有する携帯電話機を用いて電話をかけて子供がどこにいるかを迷子になった子供の家族に連絡するようにしてもよい。こうすることにより、さらに迅速に迷子に対応することができる。
【００２４】
更に、上記一実施例では、カード形状の迷子札１を採用したが、これに限らず、例えば装着ピン付のバッジ形状のものを採用しても良い。これを採用することにより、子供の衣服に情報記録媒体を装着させることができるので、ストラップ２にて子供の首に掛けさせるよりも確実に情報記録媒体を子供に装着させることができる。
【００２５】
また、上記一実施例では、保護対象者として子供の場合について例示したが、これに限らず、高齢者等の保護を必要とする人に対して適用しても良い。この際、連絡先情報は、家族でなくても保護対象者の身元引受人の連絡先でもよい。
【００２６】
更に、上記一実施例では、連絡先情報として家族の誰かが所有している携帯電話機の電話番号を例にしたが、これに限らず、例えば自宅の留守電機能付固定電話の電話番号としてもよい。
【図面の簡単な説明】
【図１】本発明の一実施例で使用される迷子札の構成を示す概略構成図である。
【図２】上記一実施例における発行処理手順の作動を示すフローチャートである。
【図３】上記一実施例における迷子対応処理手順の作動を示すフローチャートである。
【図４】上記一実施例における回収処理手順の作動を示すフローチャートである。
【図５】上記迷子札の他の例を示す概略構成図である。
【符号の説明】
１  迷子札
３  メモリ
４  ＣＰＵ
５  変復調部
６  アンテナ
【図１】
2004171368.tif 000003
【図２】
2004171368.tif 000004
【図３】
2004171368.tif 000005
【図４】
2004171368.tif 000006
【図５】
2004171368.tif 000007